(57)【要約】      （修正有）【課題】ヘッドを交換することで一本で済むスナックゴルフのクラブ及びスナックゴルフのホールを提供する。【解決手段】クラブをシャフト１とヘッド３に分離し、一本のシャフト１で四種類のヘッド３を交換して使用できるように、平均的ライ角６０度で折り曲げたシャフト先端部２の、ヘッド３に差し込む断面を四角形の棒状の形状・構造とし、ヘッド３の裏側は、このシャフト先端部２を差し込める四角形断面のシャフト差し込み孔６を設けた形状・構造とし、差し込み孔６にシャフト先端部２を通し、両者がピタリと収まることで一体化させ、ボルト・ナット７で締め付け、シャフト先端部２とヘッド３を確実に固定・一体化することで、一本のシャフト１にドライバー、アイアン、サンドウェツジ、パターの四種類のヘッド３を交換して使用できる。【選択図】図１
0003213044.tif 000002
【実用新案登録請求の範囲】
ゴルフのクラブには飛距離を出すことを重視するドライバー、方向性を重視するアイアン、グリーン上でのボールを転がすことを重視するパター、バンカーからの打上げを重視するサンドウェツジの四種類があり、それぞれのヘッドは重視する機能を発揮するのに都合の良いロフト角とライ角を採用しており、またクラブの構造は目標とする飛距離に応じた打撃力に対応できる形状・構造と材質で構成されている。ゴルフ場の開放感あふれる緑豊かな自然を、多くの人が楽しめるように、ゴルフボールを大きく、軽く、軟らかくし、飛距離を抑えて打ち易くしたスナックゴルフに使用するクラブをシャフト一本に四種類のヘッドの交換で済むようにクラブの形状・構造を
【請求項１】
ヘッド部分をドライバー、アイアン、サンドウェツジ、パターの４種類とし、交換できる形状・構造
クラブをシャフトとヘッドに分離し、一本のシャフトで四種類のヘッドを交換して使用できるように、平均的ライ角６０度で折り曲げたシャフト先端部の、ヘッドに差し込む断面を四角形の棒状の形状・構造とし、ヘッドの裏側は、このシャフト先端部を差し込める四角形断面のシャフト差し込み孔を設けた形状・構造とし、差し込み孔にシャフト先端部を通し、両者がピタリと収まることで一体化させ、ナットで締め付け、シャフト先端部とヘッドを確実に固定・一体化出来ることで、一本のシャフトに四種類のヘッドを交換して使用できる形状・構造とする。
【請求項２】
ロフト角の変換構造−１
各ヘッドはソールを水平に置いた場合、打撃面が規定のロフト角となる形状・構造になっており、これはヘッドのシャフト差し込み孔がヘッドのソールと平行に設定されているからであり、アドレスをする場合、各ヘッドのソールを水平に接地することでヘッドのロフト角は規定の角度となり、このようにシャフト先端部にヘッドを差し込むことで規定のロフト角を確保できるというヘッドの形状・構造を特徴とする、請求項１記載の一本のシャフトに四種類のヘッドを交換して使用できるゴルフのクラブ。
【請求項３】
ヘッドのソールと水平感覚の確保
ボールを打つ時クラブのヘッドのソールを何回も接地させて、クラブのロフト角、ライ角、シャフト長さ等、ボールに対してとるべきアドレスを体感して確認しようとしているのであり、この為にはヘッド単体を地面に自立させることができるヘッドの形状・構造が望ましく、ヘッドを水平面に置いた場合、ロフト角を確認できるし、シャフト長さを変えることでライ角に相当する角度が変わるが、ヘッドソールがおおきな曲面であることで対応できると共にボールが大きくスイートスポットも大きくなるので中心点を打つことができ、スナックゴルフのヘッドは四種類のヘッド全てがロフト角で自立できることを特徴とする、請求項１記載の一本のシャフトに四種類のヘッドを交換して使用できるゴルフのクラブ。
【請求項４】
シャフト長さの伸縮構造
シャフトの握りの部分をネジ構造の二重構造とし、回転させることでシャフト長さを伸縮させ、ネジが噛み合うことで飛び出しを防止できることを特徴とする、請求項１記載の一本のシャフトに四種類のヘッドを交換して使用できるゴルフのクラブ。
【請求項５】
ロフト角の変換構造−２
シャフトが一本で済むように、ヘッドも一個で済むロフト角を変換する方法として、交換できるヘッドとシャフトの噛み合せ部を２４個の歯車形状の噛み合せ構造とし、噛み合せを一個ずらすことでロフト角が１５度ずれて、ロフト角を変換でき、０度から４５度まで１５度ずつ変わる四種類のロフト角のヘッドに変換できる形状・構造を特徴とする、請求項１記載の一本のシャフトに四種類のヘッドを交換して使用できるゴルフのクラブ。
【請求項６】
シャフト先端部の差換え構造
シャフト先端部はスナックゴルフを行う場合は、ライ角６０度で曲がったものとし、ステイックとして利用する場合は真っ直ぐな短いものとし、シャフト本体への差し込み部の断面を楕円形とし、回転を防止し、シャフト本体及びシャフト先端部に孔を開け、ボルト・ナットで固定する差し換えできるシャフト先端部の形状・構造を特徴とする、請求項１記載の一本のシャフトに四種類のヘッドを交換して使用できるゴルフのクラブ。
【請求項７】
スナックゴルフのホール
スナックゴルフのホールは円形状にバネ付きの衝立を並べて、入ったら外へ出ない構造とし、穴を掘らずに地面に置くことができ、ピンによって固定し、何処ででも利用できる形状・構造とする。
クラブの形状・構造は六つ特徴を有することで、一本のシャフトで、ヘッドはロフト角で選択し、交換もでき、シャフト長さの伸縮との組み合せを任意にセットすることで、多種類のクラブを持つと同じことになる形状・構造を特徴としたクラブとなる。
そして、バネ付き衝立を利用した、入ったら出ない、地面に置き、何処ででも設置できるスナックゴルフ専用の形状・構造を特徴とするホールとなる。
【考案の詳細な説明】
【技術分野】
【０００１】  ゴルフは緑豊かな広々とした自然の中で楽しめるスポーツである。ゴルフの原点を考え、クラブ一本でプレイできるゴルフをスナックゴルフ（別名  ステイックゴルフ）と称して、ゴルフのボールを大きく、軽く、軟らかくして飛距離を抑え、打ち易くし、ゴルフのルールの通りプレイできるゴルフ入門スポーツとして、またファミリースポーツ、生涯スポーツとして受け入れられ、ゴルフ人口の増加やゴルフ場利用の拡大を目指す。このスナックゴルフに使用するクラブのヘッド部分を交換することや、シャフト長さを伸縮できることで一本のクラブで済むようにしたクラブのヘッドとシャフトの形状・構造及びホールの新しい形状・構造に関するものである。
【背景技術】
【０００２】  従来のゴルフのクラブはドライバーは１〜５番、アイアンは１〜９番、ピッチングウエッジ、サンドウエッジ、パター等から構成されており、多数のクラブを用いる。各クラブはヘッドのロフト角とシャフトの長さは固定されており、ヘッドとシャフトは一体構造となっている。
そして、その中の任意の１４本のクラブを使用できると定められている。
【考案の概要】
【考案が解決しようとする課題】
【０００３】  ゴルフの場合はボールが小さいので、芯に当てるには熟練が必要であり、また飛距離を伸ばすためシャフトの「しなり」（弾力性）を利用するので高度な技術も必要なスポーツである。
そして、狙った距離やコースの状況に合わせて一打毎にクラブを選定している。このため、ドライバー数本、アイアン数本、サンドウエッジ、パター等の多数のクラブを用意するので、かさばると共に全体重量も重くなり、プレイに専念するため持ち運びはキャデイやカートを利用しており、スポーツのイメージとして多少の違和感を感じさせる。また、購入価格も高くなり高級なスポーツとのイメージが強く、身近なスポーツとしては距離感がある。
このため、スナックゴルフではボールを大きくしてスイートスポットを広げ、また軽く、軟らかくすることで飛距離を抑えて打ち易くし、プレイはゴルフのルール通りにできるようにする。そしてヘッド部分の交換とシャフト長さの伸縮の組み合せを自分でセットすることができるので、打点の状況に合ったアドレスをすることができ、クラブ一本で済むことになる。
【課題を解決するための手段】
【０００４】  考案のクラブはコースの距離や打点の状況に対応するため、ヘッドの部分をロフト角が異なるドライバー、アイアン、サンドウエッジ、パターの４種類を交換して使用するのでフェアウエイやバンカー、グリーン周りに使い分けることができ、ゴルフのイメージを壊さずにプレイを楽しめる。
加えて、シャフト長さの伸縮を組み合せることによって、距離やボール打点の状況に対応するアドレスをすることができ、従来のゴルフクラブを選定するのと同じように、コースの状況に応じたクラブを自分でセットできるように、クラブの形状・構造を考案したものである。
【考案の効果】
【０００５】  テイショットを打ち、アプローチをして、パットで終わるプレイはゴルフそのものであり、ゴルブの基本を易しく学べる。ポイントはボールが大きい、軽い、軟らかい、クラフ゛の「しなり」が無い、クラブの長さが調整できることである。
１．ゴルフのクラブと同じく、ヘッドはパター、ドライバー、アイアン、サンドウエッジがあり、ロフト角、ライ角、シャフトの長さを自分に合うものに設定することができる。
２．クラブには四種類交換するヘッドがあることで、コースの状況や距離、打点の状況に応じたクラブを選定するという基本を理解できる。
３．ヘッドのソールを地面に置いて、ロフト角を実感することができ、打点の状況に応じてクラブの長さを調整し、アドレスを掴むことができる。
４．クラブは「しなり」が無いので、ボールの芯に当てるという基本のフォームをとることで飛距離は延びるのだということを体得する。
５．ボールはゴルフボールより大きく（径５６〜５８ｍｍ）することでスイートスポットが大きくなり、また軽く、軟らかくして、重さはゴルフボール以下、又は同じとすることで打ち易くなる。ボールの大きさがゴルフと野球やテニス等との中間的な大きさとなることで易しくできると感じ、既成概念を払拭してプレイできる。
６．年齢や技術に応じて、使うボールの重さを変えることで、初心者や高齢者となったゴルファーも体力や視力等に無理なくゴルフを楽しめる。
７．ゴルフや他のスポーツと同じく、加減せず力一杯で打つことができ、広大な緑の中のプレイであり、充実感を味わえ楽しめる。
８．ボールは反発力の強いウレタン系のスポーツや子供の遊具のボールが多種存在しており、スナックゴルフ専用に大きさと重さは規定し、構造はゴルフボールと同じく多様性を認めればよい。
９．ゴルフのルールをそのまま使えるので、プレイのポイントを実感、理解し解決法を想定することを学べる。
１０．スナックゴルフの用具はクラブ一本であり、ヘッドの数は四種類であり、容量も小さく、軽量なので子供から高齢者まで自分で持ち運べるので、本来のスポーツの在り方を学べる。
１１．飛距離が抑えられて打数は多くなるので、コースは９ホール（ハーフ）とするなどして、プレイ時間、プレイ代、経費を抑えられる。
１２．緑豊かな自然の中で、初心者も易しくプレイできるスポーツとして、楽しく、費用も抑えられファミリースポーツ、生涯スポーツとなることも考えられる。
１３．ファミリースポーツ、生涯スポーツの有力候補となることで、ゴルフ人口の増加、ゴルフ場利用者の拡大へと繋がり、ゴルフ場経営が改善される。
１４．シャフトの入射角を変えることでロフト角に合ったライ角を設定することができ、打点の状況に合ったロフト角、ライ角でアドレスできることになる。
１５．シャフトは太さが一定なので、握り位置を変えることで伸縮構造を不要とし、またゴルフ専用として先端部の交換構造を無くすことで単純化も図れる。
１６．歯車の回転位置をずらした、別の差込用歯車に交換することで、８個のヘッドを持つと同じことになる。
【図面の簡単な説明】
【０００６】
【図１】ドライバー型クラブヘッドの形状・構造（ロフト角１５°．ライ角６０°）
【図１−１】裏面の斜視図
【図１−２】裏面の形状・構造
【図１−３】横断面図
【図２】アイアン型クラブヘッドの形状・構造（ロフト角３０°．ライ角６０°）
【図２−１】裏面の斜視図
【図２−２】裏面の形状・構造
【図２−３】横断面図
【図３】サンドウエッジのクラブヘッドの形状・構造（ロフト角４５°．ライ角６０°）
【図３−１】裏面の斜視図
【図３−２】裏面の形状・構造
【図３−３】横断面図
【図４】パターのクラブヘッドの形状・構造（ロフト角０°．ライ角７５°）
【図４−１】裏面の斜視図
【図４−２】裏面の形状・構造
【図４−３】横断面図
【図５】各ヘッドの横断面図（比較）
【図６】クラブシャフトの形状・構造
【図６−１】斜視図
【図６−２】伸縮部の形状・構造
【図７】クラブシャフト先端部の形状・構造
【図７−１】先端差換え部の形状・構造
【図７−２】ステイック用先端差換え部の断面
【図８】クラブシャフト先端差換え部の取付け図
【図８−１】ヘッドの取付け
【図８−２】ステイック先端部の取付け
【図９】新型ホールの形状・構造
【図９−１】平面図
【図９−２】横断面図
【図９−３】バネ付衝立ホールの断面図
【図１０】歯車式クラブヘッドの形状・構造
【図１０−１】ヘッド本体裏面の斜視図
【図１０−２】ヘッド取付け後の裏面斜視図
【図１０−３】ヘッド本体裏面の形状・構造
【図１０−４】クラブシャフト先端部の形状・構造
【図１０−４−１】先端差し換え部の形状・構造
【図１０−４−２】シャフト部の歯車構造の形状・構造
【図１０−４−３】歯車式クラブヘッドの取付け図
【図１１】歯車式クラブヘッドの横断面図（比較）
【考案を実施するための形態】
【０００７】１．ヘッドの形状と構造
スナックゴルフはゴルフの原点を考え、クラブは一本のみで、緑豊かな広々としたゴルフ場で楽しめる易しいゴルフとして、ゴルフのボールを大きく、軽く、軟らかくして飛距離を抑えて、取り組み易くしたゴルフ入門スポーツであるので、キャデイやカートに頼らず、プレイ中の運搬は自分で行い、各場面を一本のクラブで対応できるクラブの形状・構造を考えたものである。
しかし、変化のあるコースの距離や打点の状況等に対応できるロフト角の異なるクラブは、やはり必要であり、対処方法として野球ではバット一本で場外ホームランからバントまで対応していることを考えて、ゴルフの場合は少なくとも現在使われているドライバー、アイアン、サンドウエッジ、パターの四種類のロフト角の異なるクラブはあって欲しい。
その対処法として
クラブのシャフトは一本で、ヘッド部分を交換してロフト角を変える
ヘッドは交換せず、１つのヘッドを回転させることでロフト角を変換させるという二つのやり方ができる。
四種類のヘッド
▲１▼飛距離を出すことに重点を置いた          ドライバー（ロフト角１５°）
▲２▼確実な方向性に重点を置いた              アイアン（ロフト角３０°）
▲３▼サンドからの打ち上げに重点を置いた      サンドウエッジ（ロフト角５０°）
▲４▼グリーン上の正確な転がしに重点を置いた  パター（ロフト角０°）
［図７］［図８］のようにヘッドとシャフトを分離し、シャフト先端部は平均的ライ角６０°で曲げられており、ヘッド裏面に四角形のシャフト差し込み孔を設けて、四角形のシャフト先端部を差し込んで固定し、ヘッド打撃面は四種類のヘッドの、それぞれの平均的ロフト角となる角度を付ける。
シャフトの中心高はボールの半径に近づけて、ヘッドのぐらつきを防ぐと共に飛距離がでるようにする。
［図１］のように、ドライバーは飛距離を出すためのものでヘッドを厚くして、質量感のある形状・構造とし、感覚的にもゴルフのクラブに似た形状を用いることでゴルフとの違和感を無くす。
パターはライ角が大きく、このため［図４］のようにヘッド裏面のシャフト差し込み孔に垂直方向に１５度の角度をつけ、差し込んだ時に平均的パターのライ角７５度となる。また、アイアンは５度の角度を付け、ライ角を６５度とする、サンドウエッジには１０度の角度を付け、ライ角を７０度として、身体に近づけて打ち易くすることもできる。
各ヘッドの部材は打撃時の衝撃に充分に対応できる材料・厚さとする。
２．ロフト角の変換構造−１
ゴルフではクラブを選定する際にはボールの接地点の状況と狙う距離に対応するのに最適と思われるロフト角のクラフ゛を選んでいる。
スナックゴルフではヘッドは四種類あり、各ロフト角は一般的な平均値となるドライバーが１５度、アイアンが３０度、サンドウエッジが５０度、パター  ０度を基本とする。ライ角はクラブの先端部を平均的ライ角６０度で曲げてあり、シャフト長さを伸縮させることやヘッドのソールを大きな曲線とすることで充分に状況に対応できる。
以上のように自分の打撃力を配慮し、ヘッドを選択・設定し、狙う距離、状況に対応するアドレスをすることができる。野球やテニスはバット一本、ラケット一本でスピードのある変化球を打つのに対し、スナックゴルフでは地面に静止しているゴルフボールより大きい、軽い、軟らかいボールを打つので、ロフト角の異なる四種類のヘッドの選択とクラブ長さの伸縮を組み合せることで、状況に対応するアドレスをすることができるのである。
またヘッドのソール部分を大きな曲線とすることでライ角への対応ができるし、ボールが大きいのでスイートポットは外れることも無い。
３．ヘッド底面（ソール）と水平感覚の確保
ゴルフのクラブを選定し打撃に入る場合クラブを何度も地面に置き、アドレスを確認して打つことになる。この時ヘッドのソールを地面に置いて接地面と水平との角度差を掴んでいるのであり、基本的には水平感覚を掴めないと満足するアドレスが取れないのである。この心配を解消するためロフト角に合わせてヘッド底板の水平を保つことができる形状・構造が必要であり、選択したクラブのヘッドで打つ打球方向や距離を想定できるのである。スナックゴルフのクラブのヘッドは四種類全てがソールを水平に接地することで［図５］のように選定したロフト角を確保できる形状・構造としているので、打撃時のロフト角の感覚を掴むことができる。
４．ロフト角の変換構造−２
ヘッドを交換せずにロフト角を変換する方法として［図１０］のように、先端部を歯車状の噛み合せ構造とし，クラブ先端はシャフトとヘッドに分離し、二つの断面を歯車形状で噛み合せる。シャフトにヘッドを差し込み、一個ずつずらしていくことでロフト角を変換させる。３６０度を２４の歯車構造とすることで、歯車の噛み合せを一個ずらすことで１５度ずつ角度を変えていくことができる。
よって、ヘッドの形状からパター（ロフト角  ０度）、ドライバー（ロフト角  １５度）、アイアン（ロフト角  ３０度）、サンドウエッジ（ロフト角  ４５度）の四種類のロフト角が使え、シャフト先端部のボルト断面をナットで締め付けて固定すると共に、ヘッドの飛び出しを防げるロフト角変換構造となる。
サンドウエッジは通常ロフト角が５６度と大きいが、歯車構造では４５度となるが、ボールが大きいこと、またヘッドのソール部は大きな曲線状なのでシャフト長さを伸縮させることで身体近くで打て、ライ角が対応して変化したと同じ感覚になることで対応する。パターは通常ロフト角は０度、ライ角は７５度なので、ライ角が不足と思えば［図４］のパター用ヘッドを別に用意すればよい。
このように、歯車構造の噛み合せをずらしていくことで、ロフト角は１５度ずつ変換される。クラブは単純化され、ボールは大きく、軽く、軟らかいのでゴルフ入門のスナックゴルフでは歯車構造のヘッドとパター用のヘッドの二種類のヘッドがあれば満足できる。また、クラブシャフトの先端部の歯車構造の歯車の位置を多少回転させたものを別途に用意すれば、一個のヘッドを８個のロフト角に利用することができ、８本のクラブを持つと同じくなる。
ロフト角の感覚を掴むための、ヘッドの底面（ソール）と水平感覚の確保に対しては［図１０−３］のように、バネ付き蝶番をヘッド底面に設置し、［図１１］の（６）の各ロフト角に対応する水平確保板を挟むことで、水平面に対して選択するロフト角が得られるので感覚を掴める。
５．シャフト長さの伸縮構造
ゴルフではドライバーとパターではシャフトの長さが最大で約３０ｃｍの差がある。
しかし、ステイックゴルフはゴルフ入門と捉え、ドライバーは長さを控えることで２０ｃｍ位の伸縮ができれば充分に対応できる。このため、クラブを一本で済むには２０ｃｍの伸縮を目標とする。
伸縮をさせるための形状・構造は［図６］で示すように、シャフトの上部の握りの部分を二重構造とし、回転により上下にスライドさせることで伸縮させる。そして、打撃時にシャフトが抜け出さないように、また二重構造の一体化を強めるために、［図６−２］のようにネジ式の二重構造とし、一回転で１ｃｍの伸縮ができる程度のネジ山とすることで取り扱い易くする。そして、被せる側の下部に縦に切れ目を入れて、この切れ目のある部分を締め金具によって締付けることでシャフトの抜け出し防止と共に二重構造の一体化を確実にする。
６．シャフト先端部の変換構造（ライ角６０度）
［図７］、［図８］のようにシャフトの先端部は差し換え構造として、平均値となるライ角６０度のヘッド部分を取り外しできるようにして、ボルト・ナットによって固定すればよい。ライ角はドライバー、アイアン、サンドウエッジ、パターの全てを基本的には６０度とし、パターは［図４−２］のようにヘット裏面のシャフト差し込み孔に角度を１５度つけて、ライ角が７５度となるようにする。
なお、ドライバー、アイアン、サンドウエッジもヘッドのシャフト差込み孔に、パターと同じように角度を付けていくと、クラブに合ったライ角に変化させることができる。
また、水平方向に角度を付けることで、スライスボールやフックボールの防止に対応することもできる。
各自の好みで違うライ角の先端部と差換えもできるし、ステイックとして利用する場合は［図８−２］杖用の先端部に差し替えればよい。
７．新しいホールの形状・構造
スナックゴルフのボールは大きくなるので、ホールの径も大きくする。
ゴルフと共用とする場合は［図８］のようにスナックゴルフのホールの大きさで穴を掘り、従来のゴルフのホールの大きさとなる枠をセットする形状・構造とすれば良い。
また、［図８］のように円形状にバネが付いた衝立を立てて、中に入ったら外に出ない構造として、穴を掘らずに地面に置く、何処ででも利用できるスナックゴルフ専用の形状・構造として、ピンにより位置の固定をすれば良い。
【符号の説明】
【０００８】１．シャフト
２．シャフト先端部
３．ヘッド
４．ヘッド打撃面
５．ヘッドの底面（ソール）
６．シャフト差し込み孔
７．ボルト・ナット
８．バネ付き蝶番
９．水平確保板
１０．締め金具
１１．杖用先端部材
【図１】
0003213044.tif 000003
【図２】
0003213044.tif 000004
【図２−２】
0003213044.tif 000005
【図２−３】
0003213044.tif 000006
【図３】
0003213044.tif 000007
【図４】
0003213044.tif 000008
【図５】
0003213044.tif 000009
【図６】
0003213044.tif 000010
【図７】
0003213044.tif 000011
【図８】
0003213044.tif 000012
【図９】
0003213044.tif 000013
【図１０】
0003213044.tif 000014
【図１０−３】
0003213044.tif 000015
【図１０−４】
0003213044.tif 000016
【図１１】
0003213044.tif 000017
【手続補正書】
【提出日】平成29年6月8日(2017.6.8)
【手続補正１】
【補正対象書類名】実用新案登録請求の範囲
【補正対象項目名】全文
【補正方法】変更
【補正の内容】
【実用新案登録請求の範囲】
【請求項１】
クラブをシャフトとヘッドに分離し、一本のシャフトで四種類のヘッドを交換して使用できるように、平均的ライ角６０度で折り曲げたシャフト先端部の、ヘッドに差し込む断面を四角形の棒状の形状・構造とし、ヘッドの裏側は、このシャフト先端部を差し込める四角形断面のシャフト差し込み孔を設けた形状・構造とし、差し込み孔にシャフト先端武を通し、両者がピタリと収まることで一体化させ、ナットで締め付け、シャフト先端部とヘッドを確実に固定・一体化できることで、一本のシャフトにドライバー、アイアン、サンドウェツジ、パターの四種類のヘッドを交換して使用できることを特徴とするスナックゴルフのクラブ。
【請求項２】
平均的ライ角６０度で折り曲げたシャフトのクラブはヘッドのソールを水平に置いた場合、打撃面が規定のロフト角となる形状・構造になっており、これはヘッドのシャフト差し込み孔がヘッドのソールと平行に設定されているからであり、アドレスをする場合、各ヘッドのロフト角は規定の角度となり、このようにシャフト先端部にヘッドを差し込むことで既定のロフト角を確保できるというロフト角の変換構造−１を特徴とする請求項１記載のスナックゴルフのクラブ。
【請求項３】
ボールを打つ時クラブのヘッドのソールを何回も接地させて、クラブのロフト角、ライ角、シャフトの長さ等、ボールに対してとるべきアドレスを体感して確認しようとしているのであり、この為にはヘッド単体を地面に自立させることが出来るヘッドの形状・構造とすることでヘッドを水平面に置いた場合、ロフト角を確認でき、四種類のヘッド全てがロフト角で自立できるヘッドのソールと水平感覚の確保を特徴とする請求項１記載のスナックゴルフのクラブ。
【請求項４】
シャフトの握りの部分をネジ構造の二重構造とし、回転させることでシャフト長さを伸縮させ、ネジが噛み合うことで飛び出しを防止できるシャフト長さの伸縮構造を特徴とする請求項１記載のスナックゴルフのクラブ。
【請求項５】
シャフトが一本で済むように、ヘッドも１個で済むロフト角を変換する方法として、交換できるヘッドとシャフトの噛み合わせ部を２４個の歯車形状の噛み合わせ構造とし、噛み合わせを一個ずらすことでロフト角が１５度ずれて、ロフト角を変換でき、０度から４５度まで１５度ずつ変わる四種類のロフト角のヘッドに変換できるロフト角変換構造−２を特徴とする請求項１記載のスナックゴルフのクラブ。
【請求項６】
シャフト先端部はスナックゴルフを行う場合は、ライ角６０度で曲がったものとし、ステイックとして利用する場合は真っすぐな短いものとし、シャフト本体への差し込み部の断面を楕円形とし、回転を防止し、シャフト本体及びシャフト先端部に孔をあけ、ボルト・ナットで固定するシャフト先端部の差替え構造を特徴とする請求項１記載のスナックゴルフのクラブ。
【請求項７】
スナックゴルフのホールは円形状にバネ付き衝立を並べて、入ったら出ない構造とし、穴を掘らずに地面に置くことができ、ピンによって固定し、何処ででも設置できる形状・構造を特徴とする請求項１記載のスナックゴルフのホール。
【手続補正２】
【補正対象書類名】明細書
【補正対象項目名】０００６
【補正方法】変更
【補正の内容】
【０００６】
【図１】はドライバー型クラブヘッドの形状・構造を表す図。
【図２】はアイアン型クラブヘッドの形状・構造を表す図。
【図３】はサンドウエッジ型クラブヘッドの形状・構造を表す図。
【図４】はパターのクラブヘッドの形状・構造を表す図。
【図５】は各ヘッドの横断面図（比較）を表す図。
【図６】はクラブシャフトの伸縮部の形状・構造を表す図。
【図７】はクラブシャフトの先端部の形状・構造を表す図。
【図８】はクラブシャフトの先端差替え部の取り付けを表す図。
【図９】は新型ホールの形状・構造を表す図。
【図１０】は歯車式構造クラブヘッドの形状・構造を表す図。
【図１１】は歯車式構造クラブヘッドの横断面図（比較）を表す図。
【手続補正３】
【補正対象書類名】明細書
【補正対象項目名】０００７
【補正方法】変更
【補正の内容】
【０００７】１．ヘッドの形状と構造
スナックゴルフはゴルフの原点を考え、クラブは一本のみで、緑豊かな広々としたゴルフ場で楽しめる易しいゴルフとして、ゴルフのボールを大きく、軽く、軟らかくして飛距離を抑えて、取り組み易くしたゴルフ入門スポーツであるので、キャデイやカートに頼らず、プレイ中の運搬は自分で行い、各場面を一本のクラブで対応できるクラブの形状・構造を考えたものである。
しかし、変化のあるコースの距離や打点の状況等に対応できるロフト角の異なるクラブは、やはり必要であり、対処方法として野球ではバット一本で場外ホームランからバントまで対応していることを考えて、ゴルフの場合は少なくとも現在使われているドライバー、アイアン、サンドウエッジ、パターの四種類のロフト角の異なるクラブはあって欲しい。
その対処法として
クラブのシャフトは一本で、ヘッド部分を交換してロフト角を変える
ヘッドは交換せず、１つのヘッドを回転させることでロフト角を変換させるという二つのやり方ができる。
四種類のヘッド
▲１▼飛距離を出すことに重点を置いた          ドライバー（ロフト角１５°）
▲２▼確実な方向性に重点を置いた              アイアン（ロフト角３０°）
▲３▼サンドからの打ち上げに重点を置いた      サンドウエッジ（ロフト角５０°）
▲４▼グリーン上の正確な転がしに重点を置いた  パター（ロフト角０°）
［図７］［図８］のようにヘッドとシャフトを分離し、シャフト先端部は平均的ライ角６０°で曲げられており、ヘッド裏面に四角形のシャフト差し込み孔を設けて、四角形のシャフト先端部を差し込んで固定し、ヘッド打撃面は四種類のヘッドの、それぞれの平均的ロフト角となる角度を付ける。
シャフトの中心高はボールの半径に近づけて、ヘッドのぐらつきを防ぐと共に飛距離がでるようにする。
［図１］のように、ドライバーは飛距離を出すためのものでヘッドを厚くして、質量感のある形状・構造とし、感覚的にもゴルフのクラブに似た形状を用いることでゴルフとの違和感を無くす。
パターはライ角が大きく、このため［図４］のようにヘッド裏面のシャフト差し込み孔に垂直方向に１５度の角度をつけ、差し込んだ時に平均的パターのライ角７５度となる。また、アイアンは５度の角度を付け、ライ角を６５度とする、サンドウエッジには１０度の角度を付け、ライ角を７０度として、身体に近づけて打ち易くすることもできる。
各ヘッドの部材は打撃時の衝撃に充分に対応できる材料・厚さとする。
２．ロフト角の変換構造−１
ゴルフではクラブを選定する際にはボールの接地点の状況と狙う距離に対応するのに最適と思われるロフト角のクラブを選んでいる。
スナックゴルフではヘッドは四種類あり、各ロフト角は一般的な平均値となるドライバーが１５度、アイアンが３０度、サンドウエッジが５０度、パター  ０度を基本とする。ライ角はクラブの先端部を平均的ライ角６０度で曲げてあり、シャフト長さを伸縮させることやヘッドのソールを大きな曲線とすることで充分に状況に対応できる。
以上のように自分の打撃力を配慮し、ヘッドを選択・設定し、狙う距離、状況に対応するアドレスをすることができる。野球やテニスはバット一本、ラケット一本でスピードのある変化球を打つのに対し、スナックゴルフでは地面に静止しているゴルフボールより大きい、軽い、軟らかいボールを打つので、ロフト角の異なる四種類のヘッドの選択とクラブ長さの伸縮を組み合せることで、状況に対応するアドレスをすることができるのである。
またヘッドのソール部分を大きな曲線とすることでライ角への対応ができるし、ボールが大きいのでスイートポットは外れることも無い。
３．ヘッド底面（ソール）と水平感覚の確保
ゴルフのクラブを選定し打撃に入る場合クラブを何度も地面に置き、アドレスを確認して打つことになる。この時ヘッドのソールを地面に置いて接地面と水平との角度差を掴んでいるのであり、基本的には水平感覚を掴めないと満足するアドレスが取れないのである。この心配を解消するためロフト角に合わせてヘッド底板の水平を保つことができる形状・構造が必要であり、選択したクラブのヘッドで打つ打球方向や距離を想定できるのである。スナックゴルフのクラブのヘッドは四種類全てがソールを水平に接地することで［図５］のように選定したロフト角を確保できる形状・構造としているので、打撃時のロフト角の感覚を掴むことができる。
４．ロフト角の変換構造−２
ヘッドを交換せずにロフト角を変換する方法として［図１０］のように、先端部を歯車状の噛み合せ構造とし，クラブ先端はシャフトとヘッドに分離し、二つの断面を歯車形状で噛み合せる。シャフトにヘッドを差し込み、一個ずつずらしていくことでロフト角を変換させる。３６０度を２４の歯車構造とすることで、歯車の噛み合せを一個ずらすことで１５度ずつ角度を変えていくことができる。
よって、ヘッドの形状からパター（ロフト角  ０度）、ドライバー（ロフト角  １５度）、アイアン（ロフト角  ３０度）、サンドウエッジ（ロフト角  ４５度）の四種類のロフト角が使え、シャフト先端部のボルト断面をナットで締め付けて固定すると共に、ヘッドの飛び出しを防げるロフト角変換構造となる。
サンドウエッジは通常ロフト角が５６度と大きいが、歯車構造では４５度となるが、ボールが大きいこと、またヘッドのソール部は大きな曲線状なのでシャフト長さを伸縮させることで身体近くで打て、ライ角が対応して変化したと同じ感覚になることで対応する。パターは通常ロフト角は０度、ライ角は７５度なので、ライ角が不足と思えば［図４］のパター用ヘッドを別に用意すればよい。
このように、歯車構造の噛み合せをずらしていくことで、ロフト角は１５度ずつ変換される。クラブは単純化され、ボールは大きく、軽く、軟らかいのでゴルフ入門のスナックゴルフでは歯車構造のヘッドとパター用のヘッドの二種類のヘッドがあれば満足できる。また、クラブシャフトの先端部の歯車構造の歯車の位置を多少回転させたものを別途に用意すれば、一個のヘッドを８個のロフト角に利用することができ、８本のクラブを持つと同じくなる。
ロフト角の感覚を掴むための、ヘッドの底面（ソール）と水平感覚の確保に対しては［図１０］（３）のように、バネ付き蝶番をヘッド底面に設置し、［図１１］の（６）の各ロフト角に対応する水平確保板を挟むことで、水平面に対して選択するロフト角が得られるので感覚を掴める。
５．シャフト長さの伸縮構造
ゴルフではドライバーとパターではシャフトの長さが最大で約３０ｃｍの差がある。しかし、ステイックゴルフはゴルフ入門と捉え、ドライバーは長さを控えることで２０ｃｍ位の伸縮ができれば充分に対応できる。このため、クラブを一本で済むには２０ｃｍの伸縮を目標とする。
伸縮をさせるための形状・構造は［図６］で示すように、シャフトの上部の握りの部分を二重構造とし、回転により上下にスライドさせることで伸縮させる。そして、打撃時にシャフトが抜け出さないように、また二重構造の一体化を強めるために、［図６］（２）のようにネジ式の二重構造とし、一回転で１ｃｍの伸縮ができる程度のネジ山とすることで取り扱い易くする。そして、被せる側の下部に縦に切れ目を入れて、この切れ目のある部分を締め金具によって締付けることでシャフトの抜け出し防止と共に二重構造の一体化を確実にする。
６．シャフト先端部の変換構造（ライ角６０度）
［図７］、［図８］のようにシャフトの先端部は差し換え構造として、平均値となるライ角６０度のヘッド部分を取り外しできるようにして、ボルト・ナットによって固定すればよい。ライ角はドライバー、アイアン、サンドウエッジ、パターの全てを基本的には６０度とし、パターは［図４］（２）のようにヘット裏面のシャフト差し込み孔に角度を１５度つけて、ライ角が７５度となるようにする。
なお、ドライバー、アイアン、サンドウエッジもヘッドのシャフト差込み孔に、パターと同じように角度を付けていくと、クラブに合ったライ角に変化させることができる。
また、水平方向に角度を付けることで、スライスボールやフックボールの防止に対応することもできる。
各自の好みで違うライ角の先端部と差換えもできるし、ステイックとして利用する場合は［図８］（２）杖用の先端部に差し替えればよい。
７．新しいホールの形状・構造
スナックゴルフのボールは大きくなるので、ホールの径も大きくする。
ゴルフと共用とする場合は［図９］のようにスナックゴルフのホールの大きさで穴を掘り、従来のゴルフのホールの大きさとなる枠をセットする形状・構造とすれば良い。
また、［図９］のように円形状にバネが付いた衝立を立てて、中に入ったら外に出ない構造として、穴を掘らずに地面に置く、何処ででも利用できるスナックゴルフ専用の形状・構造として、ピンにより位置の固定をすれば良い。
【手続補正４】
【補正対象書類名】図面
【補正対象項目名】全図
【補正方法】変更
【補正の内容】
【図１】
0003213044.tif 000018
【図２】
0003213044.tif 000019
【図３】
0003213044.tif 000020
【図４】
0003213044.tif 000021
【図５】
0003213044.tif 000022
【図６】
0003213044.tif 000023
【図７】
0003213044.tif 000024
【図８】
0003213044.tif 000025
【図９】
0003213044.tif 000026
【図１０】
0003213044.tif 000027
【図１１】
0003213044.tif 000028
【手続補正書】
【提出日】平成29年7月31日(2017.7.31)
【手続補正１】
【補正対象書類名】実用新案登録請求の範囲
【補正対象項目名】請求項５
【補正方法】変更
【補正の内容】
【請求項５】
四種類のヘッドを用いることに替え、ヘッドも１個で済むロフト角を変換する際に、交換できるヘッドとシャフトの噛み合わせ部を２４個の歯車形状の噛み合わせ構造とし、噛み合わせを一個ずらすことでロフト角が１５度ずれて、ロフト角を変換でき、０度から４５度まで１５度ずつ変わる四種類のロフト角のヘッドに変換できるロフト角変換構造−２を特徴とする請求項１記載のスナックゴルフのクラブ。
【手続補正２】
【補正対象書類名】実用新案登録請求の範囲
【補正対象項目名】請求項７
【補正方法】変更
【補正の内容】
【請求項７】
請求項１記載のスナックゴルフのクラブにより打たれるボールを入れるスナックゴルフのホールであって、円形状にバネ付き衝立を並べて、入ったら出ない構造とし、穴を掘らずに地面に置くことができ、ピンによって固定し、何処ででも設置できる形状・構造を特徴とするスナックゴルフのホール。